(57)【要約】      （修正有）【課題】ユーザの現在位置に基づいて周辺の地域情報を効果的に配信するための、周辺情報配信システムを提供する。【解決手段】ユーザ端末の現在位置を受け取り、その周辺のイベント乃至は配信者の少なくとも一方に関する地域情報を配信するための周辺情報配信システムであって、位置情報及び分類情報を有する地域情報２１を記憶する記憶部２と、少なくとも、位置情報及び分類情報の入力を受け付ける受付手段１１と、現在位置及び位置情報に基づいて、記憶部２より現在位置を含む所定範囲内に位置する地域情報を抽出する抽出手段１２と、抽出手段１２によって抽出された地域情報をユーザ端末３に出力する出力手段１３と、同じ分類の地域情報を並べた地域情報フィードを形成し、分類ごとに形成された複数の地域情報フィードを、ユーザ端末３の画面上に並べて表示する情報表示手段３２、３３と、を有する。【選択図】図４
2017037355.tif 000002
【特許請求の範囲】
【請求項１】
ユーザ端末の現在位置を受け取り、その周辺のイベント乃至は配信者の少なくとも一方に関する地域情報を配信するための周辺情報配信システムであって、
イベントの提供位置や配信者の所在に関る位置情報及び、イベントや配信者の分類に関る分類情報を有する地域情報を記憶する記憶部と、
少なくとも、前記位置情報及び前記分類情報の入力を受け付け、地域情報として前記記憶部に記憶する受付手段と、
前記現在位置及び前記位置情報に基づいて、前記記憶部より前記現在位置を含む所定範囲内に位置する地域情報を抽出する抽出手段と、
前記抽出手段によって抽出された地域情報をユーザ端末に出力する出力手段と、
同じ分類の地域情報を並べた地域情報フィードを形成し、分類ごとに形成された複数の前記地域情報フィードを、ユーザ端末の画面上に並べて表示する情報表示手段と、を有することを特徴とする周辺情報配信システム。
【請求項２】
前記地域情報は、更に、前記地域情報フィード上での並び順に関る順位情報を有し、
前記情報表示手段は、前記順位情報に基づいて並べられた複数の地域情報の内の一部をユーザ端末上に表示し、
地域情報の並び方向に対してスクロールさせることによって、表示されている地域情報の更に上位ないしは下位の順位の地域情報をユーザ端末上に表示可能に構成されていること、を特徴とする請求項１に記載の周辺情報配信システム。
【請求項３】
前記情報表示手段は、ユーザ端末において所定間隔で検出される現在位置に基づいて、前記地域情報フィードに表示される地域情報を更新すること、を特徴とする請求項１又は請求項２に記載の周辺情報配信システム。
【請求項４】
前記地域情報は、更に、前記分類情報より下位の分類である小分類情報を有し、
ユーザ端末上に表示される地域情報を、前記小分類情報に基づいて除外可能に構成されていることを特徴とする請求項１〜３の何れかに記載の周辺情報配信システム。
【請求項５】
前記地域情報は、更に、前記地域情報フィード上に表示するための代表画像を有し、
前記地域情報フィードに、前記代表画像を並べて表示することを特徴とする請求項１〜４の何れかに記載の周辺情報配信システム。
【請求項６】
前記地域情報は、更に、そのイベント乃至は店舗の利用に関る所要時間を示す所要時間情報を有し、
ユーザ端末から選択された複数の前記地域情報の所在地に基づいて、各地域情報の間の移動時間を算出し、前記所要時間及び前記移動時間を用いて、これら複数の地域情報の所在地を周るためのスケジュールを生成するスケジュール生成手段を有すること、を特徴とする請求項１〜５の何れかに記載の周辺情報配信システム。
【請求項７】
前記抽出手段は、前記現在位置に基づいて、前記地域情報フィードに表示するための所定範囲に含まれる地域情報及び、前記所定範囲より更に広範囲に含まれる地域情報を抽出し、
前記情報表示手段は、ユーザ端末で取得された現在位置に基づいて、受け取った地域情報から表示範囲に含まれる地域情報を選択して表示を行うこと、を特徴とする請求項１〜６の何れかに記載の周辺情報配信システム。
【請求項８】
検出した現在位置に基づいて、その周辺のイベント乃至は配信者の少なくとも一方に関する地域情報を取得するための周辺情報取得装置であって、
現在位置を取得する現在位置取得部と、
前記現在位置を出力するする現在位置出力手段と、
出力した現在位置に応じた、イベントの提供位置や配信者の所在に関る位置情報及びイベントや配信者の分類に関る分類情報を有する地域情報を受け取る情報取得手段と、
同じ分類の地域情報を並べた地域情報フィードを形成し、分類ごとに形成された複数の前記地域情報フィードを、表示装置上に並べて表示する情報表示手段と、を有することを特徴とする周辺情報取得装置。
【請求項９】
検出した現在位置に基づいて、その周辺のイベント乃至は配信者の少なくとも一方に関する地域情報を取得するための周辺情報取得プログラムであって、
コンピュータを、現在位置検出部より取得した現在位置を出力する現在位置出力手段と、
出力した現在位置に応じた、イベントの提供位置や配信者の所在に関る位置情報及びイベントや配信者の分類に関る分類情報を有する地域情報を受け取る情報取得手段と、
同じ分類の地域情報を並べた地域情報フィードを形成し、分類ごとに形成された複数の前記地域情報フィードを、表示装置上に並べて表示する情報表示手段と、として機能させることを特徴とする周辺情報取得プログラム。
【発明の詳細な説明】
【技術分野】
【０００１】
本発明は、ユーザの位置情報に基づいて、ユーザの周辺情報を配信するための周辺情報配信システムに関るものである。
【背景技術】
【０００２】
従来から、ユーザの所持する携帯情報端末等のユーザ端末に対して、ユーザ端末で取得した位置情報に基づいて、ユーザ周辺の情報を提供するシステムが提供されている。
【０００３】
特許文献１には、ユーザが検索対象とした詳細な商品情報及び、ユーザの現在位置に基づいて、所定の商品を取り扱っている周辺の店舗を抽出して地図上に表示し、更に店舗までのナビゲーションを行うことが記載されている。
【０００４】
特許文献２には、ユーザがあらかじめ登録した広告配信店舗及び、ユーザの現在位置情報に基づいて、ユーザの周辺にある該当店舗の広告を出力することが記載されている。
【０００５】
このようなシステムにより、ユーザは自身の周辺にある店舗等に関する情報を取得することが可能となり、店舗側はユーザへの情報発信を行うことができる。ユーザは、現在地周辺の店舗等に関する情報を取得することができるため、周辺の店舗や施設を利用する動機づけが生じていた。
【先行技術文献】
【特許文献】
【０００６】
【特許文献１】特開２００３−５７０６６号公報
【特許文献２】特開２０１２−７８３０５号公報
【発明の概要】
【発明が解決しようとする課題】
【０００７】
しかしながら、従来の技術による恩恵をユーザが受けるためには、ユーザが希望する購入対象の商品やサービス、アクティビティ等、自身が求める対象が具体化されている必要がある。自分の目的が明確に定まっていない状態では、現在位置から周辺の情報を抽出することができず、買い物や食事、観覧等を行うための店舗や施設を検索して赴いたり、イベントの体験や観賞を行うことができない。
【０００８】
そのため、従来技術では、散策を行いながら購買等を行うユーザには、適切に情報を発信することができていなかった。その結果、顧客に成り得るユーザに対して、顧客周辺の店舗や、周辺で行われるイベント等に関る地域情報の配信ができておらず、顧客獲得の機会を逃していた。
【０００９】
また、例えば、地図を用いて周辺の地域情報の提供を行うような場合、地図を表示するという観点から十分な数の地域情報を表示することができず、また、ユーザの意思決定に関る距離以外の情報（例えば対象店舗の人気順位等）は効果的に表示することが出来ていなかった。
【００１０】
本発明は上記のような実状に鑑みてなされたものであり、ユーザの現在位置に基づいて周辺の地域情報を効果的に配信するための、周辺情報配信システムを提供することを課題とする。
【課題を解決するための手段】
【００１１】
上記課題を解決するために、本発明は、ユーザ端末の現在位置を受け取り、その周辺のイベント乃至は配信者の少なくとも一方に関する地域情報を配信するための周辺情報配信システムであって、
イベントの提供位置や配信者の所在に関る位置情報及び、イベントや配信者の分類に関る分類情報を有する地域情報を記憶する記憶部と、
少なくとも、前記位置情報及び前記分類情報の入力を受け付け、地域情報として前記記憶部に記憶する受付手段と、
前記現在位置及び前記位置情報に基づいて、前記記憶部より前記現在位置を含む所定範囲内に位置する地域情報を抽出する抽出手段と、
前記抽出手段によって抽出された地域情報をユーザ端末に出力する出力手段と、
同じ分類の地域情報を並べた地域情報フィードを形成し、分類ごとに形成された複数の前記地域情報フィードを、ユーザ端末の画面上に並べて表示する情報表示手段と、を有することを特徴とする。
【００１２】
このような構成とすることで、ユーザの周辺のイベントや催し、店舗、施設などに関る地域情報を、ユーザに対して効果的に提供することができる。ユーザは、分類ごとに並べられた地域情報を見ることで、自身の周辺に所在し、自身が興味のある対象を極めて容易に発見することができるため、周辺の情報を、効果的に配信することができる。
【００１３】
本発明の好ましい形態では、前記地域情報は、更に、前記地域情報フィード上での並び順に関る順位情報を有し、
前記情報表示手段は、前記順位情報に基づいて並べられた複数の地域情報の内の一部をユーザ端末上に表示し、
地域情報の並び方向に対してスクロールさせることによって、表示されている地域情報の更に上位ないしは下位の順位の地域情報をユーザ端末上に表示可能に構成されていること、を特徴とする。
このような構成とすることで、分類ごとに所定の順序で並んだ地域情報を表示させ、ユーザに提示することができる。現在位置からの距離や、対象の人気度、新着順等、種々の順序の地域情報を表示させることができ、地域情報を効果的に提供することが可能となる。
【００１４】
本発明の好ましい形態では、前記情報表示手段は、ユーザ端末において所定間隔で検出される現在位置に基づいて、前記地域情報フィードに表示される地域情報を更新すること、を特徴とする。
このような構成とすることで、新規に投稿されたイベントの情報や、現在位置からの近い店舗など、所定間隔で、表示される地域情報の順番や内容を変化させることができる。
【００１５】
本発明の好ましい形態では、前記地域情報は、更に、前記分類情報より下位の分類である小分類情報を有し、
ユーザ端末上に表示される地域情報を、前記小分類情報に基づいて除外可能に構成されていることを特徴とする。
このような構成とすることで、ユーザが不要と判断した分類の情報を、除外して表示させることができる。そのため、ユーザによる利用の可能性が高い情報のみを提供することができ、効果的に情報配信することができる。
【００１６】
本発明の好ましい形態では、前記地域情報は、更に、前記地域情報フィード上に表示するための代表画像を有し、
前記地域情報フィードに、前記代表画像を並べて表示することを特徴とする。
このような構成とすることで、地域情報フィード上に、地域情報の内容を一目瞭然に表示して、ユーザへの情報配信を行うことができる。
【００１７】
本発明の好ましい形態では、前記地域情報は、更に、そのイベント乃至は店舗の利用に関る所要時間を示す所要時間情報を有し、
ユーザ端末から選択された複数の前記地域情報の所在地に基づいて、各地域情報の間の移動時間を算出し、前記所要時間及び前記移動時間を用いて、これら複数の地域情報の所在地を周るためのスケジュールを生成するスケジュール生成手段を有すること、を特徴とする。
このような構成とすることで、複数の店舗を周った際のスケジュールをユーザに提示することができる。
【００１８】
本発明の好ましい形態では、前記抽出手段は、前記現在位置に基づいて、前記地域情報フィードに表示するための所定範囲に含まれる地域情報及び、前記所定範囲より更に広範囲に含まれる地域情報を抽出し、
前記情報表示手段は、取得した現在位置に基づいて、受け取った地域情報から表示範囲に含まれる地域情報を選択して表示を行うこと、を特徴とする。
このような構成とすることで、予め、表示範囲外の地域情報についてもユーザ端末に取得することができる。そのため、現在位置の移動に伴って表示範囲が変化した場合、新たに表示範囲に追加された地域情報を、情報配信サーバより受け取ることなく、地域情報フィードに表示させることができる。これにより、地域情報フィードに高速に情報を表示させることができる。
【００１９】
本発明は、検出した現在位置に基づいて、その周辺のイベント乃至は配信者の少なくとも一方に関する地域情報を取得するための周辺情報取得装置であって、
現在位置を取得する現在位置取得部と、
前記現在位置を出力するする現在位置出力手段と、
出力した現在位置に応じた、イベントの提供位置や配信者の所在に関る位置情報及びイベントや配信者の分類に関る分類情報を有する地域情報を受け取る情報取得手段と、
同じ分類の地域情報を並べた地域情報フィードを形成し、分類ごとに形成された複数の前記地域情報フィードを、表示装置上に並べて表示する情報表示手段と、を有することを特徴とする。
【００２０】
本発明は、検出した現在位置に基づいて、その周辺のイベント乃至は配信者の少なくとも一方に関する地域情報を取得するための周辺情報取得プログラムであって、
コンピュータを、現在位置検出部より取得した現在位置を出力する現在位置出力手段と、
出力した現在位置に応じた、イベントの提供位置や配信者の所在に関る位置情報及びイベントや配信者の分類に関る分類情報を有する地域情報を受け取る情報取得手段と、
同じ分類の地域情報を並べた地域情報フィードを形成し、分類ごとに形成された複数の前記地域情報フィードを、表示装置上に並べて表示する情報表示手段と、として機能させることを特徴とする。
【発明の効果】
【００２１】
本発明によれば、ユーザの現在位置に基づいて周辺の地域情報を効果的に配信するための、周辺情報配信システムを提供することができる。
【図面の簡単な説明】
【００２２】
【図１】本発明の実施形態に関る周辺情報配信システムの概要を示す図である。
【図２】本発明の実施形態に関る情報配信サーバ並びにユーザ端末のハードウェア構成図である。
【図３】本発明の実施形態に関る記憶部に記憶された情報の一例及び、分類情報の一例を示す図である。
【図４】本発明の実施形態に関る周辺情報配信システムの機能ブロック図である。
【図５】本発明の実施形態に関る表示装置への表示例である。
【図６】本発明の実施形態に関る表示範囲を示す概念図である。
【図７】本発明の実施形態に関る地域情報の表示時の処理フローチャートである。
【図８】本発明の実施形態に関るスケジュール生成時の処理フローチャートである。
【発明を実施するための形態】
【００２３】
以下、図面を用いて、本発明の実施形態に関る周辺情報配信システムについて説明する。なお、以下に示す実施形態は本発明の一例であり、本発明を以下の実施形態に限定するものではない。
【００２４】
図１は、本発明の実施形態に関る周辺情報配信システムの概要を示す図である。符号１は、情報配信サーバを示し、符号２は、配信するイベントや配信者に関る地域情報等を記憶した記憶部を示し、符号３は、地域情報を受け取って利用するユーザ端末を示し、符号４は、地域情報を投稿する配信者端末を示している。ユーザ端末３及び配信者端末４は、例えば、パーソナルコンピュータであったり、スマートフォンやウェアラブルデバイス等の携帯情報端末であり、ネットワークを介して情報配信サーバ１と通信可能に構成されている。
【００２５】
本発明においてユーザに提供される地域情報とは、飲食店や小売店等の店舗、映画館や美術館等の施設、パフォーマンスや催しの主催者、などである配信者に関する配信者情報と、前記店舗や施設で配信者により提供されるセールや催し、個人や団体等によって、路上や公園、ホール、イベントスペースなど特定の場所で開催されるパフォーマンスや催し等に関するイベント情報と、の少なくとも一方を有する情報であり、ユーザ端末３の並べて表示されてユーザへ配信される。
【００２６】
図２は、本発明の実施形態に係る情報配信システムの各構成要素のハードウェア構成の一例を示す図である。図２（ａ）は情報配信サーバ１のハードウェア構成を示している。情報配信サーバ１は、ＣＰＵ１０１と、メモリ１０２と、記憶装置１０３と、入力装置１０４と、出力装置１０５と、外部装置と通信を行うためのインタフェースである通信装置１０６と、を備えている。また、記録装置１０３は、オペレーティングシステム１０７と、情報配信プログラム１０８などが記録されている。情報配信プログラム１０８は、オペレーティングシステム１０７と協調してその機能を発揮するものである。
【００２７】
図２（ｂ）は、ユーザ端末２のハードウェア構成を示している。ユーザ端末２は、ＣＰＵ２０１と、メモリ２０２と、記憶装置２０３と、入力装置２０４と、出力装置２０５と、外部装置と通信を行うためのインタフェースである通信装置２０６と、位置情報検出装置２０７と、を備えている。また、記録装置１０３は、オペレーティングシステム２０８と、周辺情報取得プログラム２０９などが記録されている。周辺情報取得プログラム２０９は、オペレーティングシステム２０８と協調してその機能を発揮するものである。位置情報検出装置２０７は、ＧＰＳ衛星からの電波を受信し、ＧＰＳ（Global  Positioning  System）を利用してユーザ端末２の位置を特定し、ユーザの位置情報（現在位置）を生成する。
【００２８】
記憶部２は、地図情報２１と、配信者端末４より入力され、受付手段１１で受け取ったイベント情報２２と、店舗や施設、個人、団体等の配信者に関する情報を有する配信者情報２３と、本発明の利用者であるユーザのユーザ情報２４を備えている。
【００２９】
図３は、記憶部２に記憶された情報の一例を示す図である。図３（ａ）は、イベント情報の具体例を示している。イベント情報２２は、イベントIDと、配信者IDと、イベント名と、イベントの説明やクーポン等を示す内容情報と、イベントが行われる店舗や施設の位置、催しが行われる位置などを示す位置情報と、イベントの分類を示す分類情報と、イベントや店舗等のお気に入り登録数など、ユーザ端末への表示順序に関る情報を示す順位情報と、店舗の営業時間や営業日、イベントの開始時刻及び終了時刻、期間など時間に関する情報を示す時間情報と、ユーザが店舗での買い物や食事、観賞、イベントを体験するために必要となる所要時間の概算を示す所要時間情報と、を備えている。
【００３０】
図３（ｂ）は、配信者情報２３の具体例を示している。配信者情報２３は、配信者IDと、配信者名と、配信者のプロフィール等を示す内容情報と、配信者である店舗や施設等の所在を示す位置情報と、配信者の分類を示す分類情報と、配信者のお気に入り登録数などユーザ端末への表示順序に関る情報を示す順位情報と、営業の開始時刻や終了時刻など時間に関する情報を示す時間情報と、ユーザが配信者で体験を行う為に必要となる所要時間の概算を示す所要時間情報と、を備えている。
【００３１】
図３（ｃ）は、ユーザ情報２４の具体例を示している。ユーザ情報２４は、ユーザIDと、ユーザ名と、ログイン処理などに利用されるパスワードと、ユーザがお気に入り登録を行い保存したイベントや配信者に関する情報を示すお気に入り情報と、ユーザのプロフィール情報と、ユーザが地域情報や配信者情報を共有する際に利用するメールアドレスやＳＮＳの情報等を示す共有情報と、を備えている。
【００３２】
図３（ｄ）は、分類情報の具体例を示している。分類情報は、「食事」「遊ぶ」「買う」といったイベントや店舗、施設（配信者）の大分類を示す大分類情報Ｃと、「食事」の大分類において「中華」「フレンチ」「和食」のような小分類を示す小分類情報Ｓと、を有している。ひとつの地域情報に対して１の大分類情報が紐づけられており、これによりユーザ端末３への表示が行われる。また、地域情報は、複数の小分類情報が紐づけられていてもよく、この小分類情報に基づいてユーザ端末３上での表示の制限や小分類ごとの表示等が行われる。
【００３３】
図４は、本発明の実施形態に関る周辺情報配信システムの機能ブロック図である。情報配信サーバ１は、配信者端末４より配信者乃至はイベントに関る情報の入力を受け付け、記憶部２に記憶する受付手段１１と、記憶部２に記憶された地域情報からユーザ端末３に出力する地域情報を抽出する抽出手段１２と、抽出手段１２で抽出した地域情報をユーザ端末３に出力する出力手段１３と、地図情報を用いて、ユーザ端末３の現在位置などから地域情報の所在位置までの移動時間を算出する算出手段１４と、地域情報の所在位置などに基づいてユーザの行動予定を生成するためのスケジュール生成手段１５と、を備えている。
【００３４】
受付手段１１は、配信者端末４より配信者やイベントに関する情報を受け取り、記憶部２に記憶する。配信者端末４からは、少なくとも、位置情報、分類情報が入力され、記憶部２にイベント情報や配信者情報（地域情報）として記録される。
【００３５】
抽出手段１２は、ユーザ端末３よりユーザの現在位置を受け取り、記憶部２に記憶されたそれぞれの地域情報の位置情報に基づいて、ユーザ周辺に所在する地域情報の抽出を行う。ユーザ端末３からは、所定の間隔で現在位置が出力され、この位置に基づいてユーザに提供する地域情報の更新を行う。
【００３６】
営業していない店舗や期間の終了したイベントなど、終了している地域情報については、店舗の営業時間や休業日等の時間情報に基づいて、抽出を行わないように構成しても構わない。また、営業時間外の店舗と営業時間内の店舗の双方を抽出するようにして、ユーザ端末３上では、色やアイコンで区別可能に表示するように構成してもよい。
【００３７】
また、開催前のイベント情報や営業時間前の配信者情報についても、営業時間内の店舗や実施中のイベント等と識別できるように表示して、告知可能に構成してもよい。また、例えば、告知に関する地域情報の内、営業やイベント等の開始時刻が所定時間内に迫っている地域情報のみ、表示するように構成してもよい。
【００３８】
出力手段１３は、抽出手段１２によって出力された地域情報を、ユーザ端末３に出力する。
【００３９】
算出手段１４は、現在位置や位置情報、地図情報２１等を用いて、所定のイベント情報や配信者情報の所在地（位置情報）に対する移動時間や移動ルートの算出を行う。この移動時間や移動ルートの算出は、ユーザ端末３より入力される現在位置に基づいて行ってもよいし、所定の地域情報の所在地間のものを求めるようにしてもよい。
【００４０】
スケジュール生成手段１５は、複数の地域情報の所在地を周るスケジュールを生成し、ユーザに提供する。ユーザは、希望するイベント情報や配信者情報を複数選択し、情報配信サーバ１に対して出力する。サーバ側では、算出手段１４を用いて選択された現在位置から地域情報の所在地への移動時間や、複数の地域情報の所在地間の移動時間を算出し、それぞれの所在地を巡る必要時間や距離を算出する。
【００４１】
スケジュール生成手段１５によって算出された必要時間に前記所要時間情報を加えて、それぞれの店舗やイベントの利用を行う為に必要となる必要な時間を加味した、より具体的なスケジュール構成を行うようにしてもよい。また、スケジュールを生成する際、イベントや店舗の営業時間を加味して、スケジュールの生成を行うようにしてもよい。また、スケジュールが生成された場合、スケジュールに組み込まれた配信者に対して、ユーザが店舗やイベントの所在地に立ち寄る時間等を通知するようにしてもよい。
【００４２】
ユーザ端末３は、位置情報検出装置２０７を介してユーザ端末３の現在位置を導出するための現在位置検出部３１と、情報配信サーバ１より配信された地域情報をユーザ端末３の表示装置２０５に表示する為の地域情報表示手段３２と、表示する地域情報の限定を行う選択表示手段３３と、イベントや配信者情報をお気に入りに登録して管理するための登録手段３４と、地域情報をメールやＳＮＳ等を介して他のユーザと共有するための情報共有手段３５と、イベントに対する評価を入力するための評価入力手段３６と、配信者やイベントに関るクーポン表示手段３７と、を備えている。
【００４３】
地域情報表示手段３２は、ユーザ端末３上に、情報配信サーバ１より受け取った地域情報の表示を行う。図５は、ユーザ端末３上への地域情報の表示方法の一例である。図５（ａ）に示すように、ユーザ端末３には、複数の分類に関る地域情報フィードＦが、並べて表示される。また、地域情報フィードＦには、同一分類に関る複数の地域情報ｉが並べて表示されている。この地域情報フィードＦは、図示例では、「食べる」「買う」「遊ぶ」「見る」といった大分類情報Ｃを有した地域情報ｉにより構成されており、それぞれの分類情報を有する地域情報の代表画像が、並べて表示されている。
【００４４】
また、地域情報フィードＦには、順位情報に基づいて地域情報が並べられている。この順位情報は、例えばユーザによってお気に入りに登録された数（即ち人気順）であったり、ユーザの現在位置から近い順番であったり、新たに受付手段１１によって登録された順番（即ち新着順）、等である。ユーザは、並べられた地域情報ｉを（図示例では左右方向に）スクロールすることで、表示されていた地域情報ｉより更に上位、乃至は下位に位置する地域情報ｉ’を表示させることが可能である。この順位情報や、順位の決定方法は複数用意され、ユーザの選択により、その並び方を変更可能であるのが好ましい。
【００４５】
例えば、受付手段１１によって新たに地域情報が登録された際には、地域情報フィードＦ上にその地域情報を表示すると共に、新着の情報であることを表示してもよい。また、ユーザ端末３にバナーやダイアログ、ポップアップで通知を行なわせたり、ユーザのメールアドレスに対して新規の地域情報の通知を行うようにしてもよい。符号ｉＮは、新着の地域情報を表している。なお、符号ｉＥは、営業時間・イベント時間外の地域情報を示している。
【００４６】
図５（ｂ）は、地域情報フィードＦに表示された配信者情報を選択し、その詳細を表示した際の画面例である。画面上には、配信者名や住所、電話番号、メールアドレス等の内容情報、営業時間（時間情報）等が表示されている。ユーザは、登録手段３４を用いて当該地域情報をお気に入りに登録したり、情報共有手段３５を用いて当該地域情報を他のユーザと共有したり、評価入力手段３６を用いて当該地域情報に対する評価を入力したり、クーポン表示手段３７を用いて当該配信者乃至は当該イベントに関るクーポンを表示したりすることができる。また、当該配信者が今後予定している、開始前のイベント等に関る情報を、個別の配信者情報の画面から参照可能に構成している。
【００４７】
また、現在位置からこの店舗への移動時間と移動距離の算出を、算出手段１４等に要求して表示可能に構成されている。その際、地図情報２１を併せて表示するように構成してもよい。加えて、この配信者情報から、この配信者が配信しているイベント情報を、一覧表示可能に構成している。イベント情報について詳細を表示した際も同様に、イベント情報を配信している配信者の情報へ移動したり、同一配信者の他のイベント情報を表示可能にしてもよい。
【００４８】
ユーザ端末３では、所定間隔で現在位置を出力し、表示させる地域情報を取得する。この表示させる地域情報の範囲について、ユーザ側から設定可能であるのが好ましい。また、予め、地域情報フィードＦに表示する領域外の地域情報も抽出手段１２及び出力手段１３を介して取得しておき、現在位置検出部３１で検出した現在位置の移動に伴って、地域情報フィードＦに表示する地域情報を変化させるように構成してもよい。図６は、表示範囲ｒと、表示範囲外領域Ｒと、を示す概念図である。図６（ａ）は、出力手段１３から抽出された地域情報を取得直後の状態を示している。表示領域ｒに含まれる店舗やイベントpが、地域情報フィードＦに地域情報ｉとして表示されるものである。なお、符号Ｕは、ユーザの現在位置を示す。一方、図６（ｂ）は、出力手段１３からの地域情報の取得後、現在位置Ｕが変化した際の状態を示している。
【００４９】
このように、前もって表示範囲外領域Ｒの地域情報も取得しておくことが出来るため、地域情報フィードＦでの表示を高速化することができる。また、一度取得した地域情報に関る代表画像等の地域情報をユーザ端末３に記憶しておき、再度利用するように構成してもよい。
【００５０】
選択表示手段３３は、地域情報表示手段３２で表示する地域情報から、所定の地域情報を除外する。これにより、ユーザは、自身に不要な情報については表示することなく、地域情報フィードに好適な情報のみを表示することができる。選択表示手段３３で除外する対象は、例えば、ユーザが興味のない分類の店舗やイベント等の分類情報や特定の配信者、特定のキーワード等、除外リストに登録された地域情報、時間情報に基づいて非営業中の店舗や開始時間前のイベント等に関る地域情報、等である。
【００５１】
地域情報表示手段３２で表示する地域情報を除外する処理は、本例のように必ずしもユーザ端末３上で行われる必要はなく、情報配信サーバ１において、抽出手段１２により記憶部２から地域情報を抽出する際や、抽出手段１２より抽出した地域情報を出力手段１３よりユーザ端末３に出力する前、等に行われても構わない。
【００５２】
配信者端末４は、配信者に関る情報や店舗に関る情報を登録しておくための配信者情報入力手段４１とイベント情報の投稿を行う為のイベント情報入力手段４２と、を備えている。
【００５３】
配信者情報入力手段４１は、情報配信サーバ１に対して配信者情報の入力を行う。配信者情報は、例えば配信者である店舗や施設等、配信者自体を示す情報である。イベント情報入力手段４２は、情報配信サーバ１に対してイベント情報の入力を行う。イベント情報は、配信者である店舗でのセール情報や施設で行われるイベントの情報、ミュージシャンによる路上でのストリートライブの情報、等イベントに関する情報である。
【００５４】
次いで、図７を用いて、地域情報フィードＦにイベント情報（地域情報）を表示する際の処理を説明する。店舗情報を表示する場合、店舗情報とイベント情報の双方を表示する場合も、処理は同様である。
【００５５】
情報配信サーバ１は、現在位置検出部３１を用いて所定の間隔や所定のタイミングで検出した現在位置を、ユーザ端末３より受け取る（ステップ１（Ｓ１））。現在位置を受け取ったならば、抽出手段１２を用いて、記憶部２より該当するイベント情報の抽出を行うステップ２（（Ｓ２））。この抽出は、イベント情報の有する時間情報及び位置情報に基づいて決定され、現在位置周辺で実施中のイベントや、現在位置周辺で実施予定であり広告中のイベントに関する情報が抽出される。イベント情報が抽出されたなら、出力手段１３を介してユーザ端末３にイベント情報の出力を行う（Ｓ３）。
【００５６】
ユーザ端末３がイベント情報を受け取ったならば、表示範囲ｒに含まれるイベント情報の抽出を行う（Ｓ４）。そして、この抽出されたイベント情報中に除外設定された分類のものがあるか否かが判定される（Ｓ５）。除外対象のイベント情報が抽出されたものの中にある場合（Ｓ５でＹＥＳ（Ｙ））、対象のイベントを除外してＳ７に進む（Ｓ６）。除外リストに登録がない、又は除外対象のイベント情報が抽出されていない場合（Ｓ５でＮＯ（Ｎ））、Ｓ７に進む。
【００５７】
Ｓ７では、ユーザ端末３上にイベント情報の表示を行う。表示されたイベント情報は、所定の間隔やタイミングで情報配信サーバ１に現在位置を出力し、イベント情報の問い合わせを行う（Ｓ８）。情報配信サーバ1へ問い合わせを行う所定の間隔やタイミング（Ｓ８でＹ）には、ユーザ端末３の現在位置を再度情報配信サーバ１に出力して（Ｓ１０）、Ｓ１に戻る。
【００５８】
一方、本実施形態では、イベント情報の問い合わせを行う所定の間隔より更に短い間隔（Ｓ８でＮ）で、地域情報フィードＦに表示するイベント情報を更新している（Ｓ９）。Ｓ９では、ユーザ端末３で検出した現在位置に基づいて現在位置の更新を行い、Ｓ４に戻って表示範囲ｒに含まれるイベント情報を再度抽出して、地域情報フィードＦに表示するイベント情報を切り替えている。これをＳ８でＹとなる所定のタイミングまで繰り返す。
【００５９】
次いで、図８を用いて、複数の地域情報の所在地を周るスケジュールの生成時の処理について説明する。ユーザは、ユーザ端末３を用いて複数の地域情報を選択して、スケジュールに組み込まれるイベント情報や配信者情報を選択する（Ｓ１１）。Ｓ１１で地域情報が選択されたならば、情報配信サーバ１に選択した内容を出力する（Ｓ１２）。
【００６０】
情報配信サーバ１では、選択された地域情報に関る所在地（位置情報）、時間情報、所要時間情報を取得する（Ｓ１３）。そして、取得した結果及び地図情報２１に基づいて、各所在地間を結ぶ最短ルート及びその時間と、時間情報と、各店舗等で費やす所要時間である所要時間情報と、を加味したスケジュールを生成する（Ｓ１４）。
【００６１】
このスケジュールは、イベントの期間や終了時間、店舗の営業時間などを示す時間情報に基づいて、実現可能か否かが判定される（Ｓ１５）。スケジュールが妥当であり、選択された地域情報の所在地を各店舗等の営業時間内に回ることができる場合（Ｓ１５でＹ）、ユーザ端末３へ結果を出力して（Ｓ１６）、処理を終了する。スケジュールが妥当でなく、選択された地域情報の所在地を各店舗などの営業時間内に回ることができないような場合（Ｓ１５でＮ）、ユーザ端末３へ地域情報の変更要求を出力し（Ｓ１７）、Ｓ１１に戻る。
【００６２】
本発明によれば、ユーザは、分類ごとに並べられた地域情報を見ることで、自身の周辺に所在し、自身が興味のある対象を極めて容易に発見することができるため、周辺の情報を、効果的に配信することが可能である。そのため、それらの利用促進を促すことが可能である。
【００６３】
また、現在位置からの距離や、対象の人気度、新着順等、種々の順序で地域情報をユーザに提示することができ、新規に投稿された地域情報や、現在位置からの近い店舗など、表示される地域情報の順番や内容をリアルタイムに変化させながら閲覧することができる。
【００６４】
また、ユーザにとって不要な情報を、除外して表示させることができる。そのため、ユーザによる利用の可能性が高い情報のみを提供することができ、効果的に情報配信することができる。
【００６５】
また、複数の店舗を周った際のスケジュールをユーザに提示することができる。そのため、複数の店舗やイベントなどの利用を、ユーザに促すことができる。
【産業上の利用可能性】
【００６６】
ユーザの周辺の情報を配信する携帯情報端末向けの、情報配信アプリケーションを提供することができる。
【符号の説明】
【００６７】
１  情報配信サーバ
１１  受付手段
１２  抽出手段
１３  出力手段
１４  算出手段
１５  スケジュール生成手段
１０１  ＣＰＵ
１０２  メモリ
１０３  記憶装置
１０４  入力装置
１０５  表示装置
１０６  通信装置
１０７  オペレーティングシステム
１０８  情報配信プログラム
２  記憶部
２１  地図情報
２２  イベント情報
２３  配信者情報
２４  ユーザ情報
２０１  ＣＰＵ
２０２  メモリ
２０３  記憶装置
２０４  入力装置
２０５  表示装置
２０６  通信装置
２０７  位置情報検出装置
２０８  オペレーティングシステム
２０９  周辺情報取得プログラム
３  ユーザ端末
３１  現在位置検出部
３２  イベント表示手段
３３  選択表示手段
３４  登録手段
３５  情報共有手段
３６  評価入力手段
３７  クーポン表示手段
４  配信者端末
４１  配信者情報入力手段
４２  イベント情報入力手段
Ｃ  大分類情報
Ｓ  小分類情報
Ｆ  地域情報フィード
ｒ  表示範囲
Ｒ  非表示領域
Ｕ  現在位置
ｐ  地域情報の所在地
ｉ  地域情報
【図１】
2017037355.tif 000003
【図２】
2017037355.tif 000004
【図３】
2017037355.tif 000005
【図４】
2017037355.tif 000006
【図５】
2017037355.tif 000007
【図６】
2017037355.tif 000008
【図７】
2017037355.tif 000009
【図８】
2017037355.tif 000010